(57)【要約】【課題】カード受領者の興味をそそって、情報の伝達効果が向上する立体表示カードを提供する。【解決手段】立体表示カードは、それぞれ二つの折り部４，６，５，７を介して上紙片８，１１、中紙片９，１２、下紙片１０，１３が連接されてなる第１基材２と第２基材３とを、各上、中、下の各紙片同士が対応するように重ね合わせて、少なくとも各基材２，３の四周縁を除いた部分は剥離可能に接着し、各折り部４，６，５，７で一方の基材３の上紙片１１と他方の基材２の下紙片１０が表出するようにジグザグ状に三つ折りして折り重ねた各重ね合わせ面を見開き可能に接着してなり、見開き状態にすると各基材２，３の表出していない二紙片８，９，１２，１３の四周縁を除いた部分１６ａ，１６ｂ，２６ａ，２６ｂが立体的に起立して、立体表示情報や表出情報を見ることができる。【選択図】　　　　図９
2004034351.tif 000002
【特許請求の範囲】
【請求項１】
それぞれ二つの折り部を介して上紙片、中紙片、下紙片の三紙片が連接されてなる第１基材と第２基材とを前記各上、中、下の各紙片同士が対応するように重ね合わせて、少なくとも前記各基材の四周縁を除いた部分は剥離可能に接着し、前記各折り部で一方の基材の上紙片と他方の基材の下紙片が表出するようにジグザグ状に三つ折りして折り重ねた各重ね合わせ面を見開き可能に接着してなり、見開き状態にすると各基材の表出していない二紙片の四周縁を除いた部分の所定部が立体的に起立する立体表示カードであって、前記各基材の表出していない二紙片のそれぞれには、この二紙片の境の折り部を対称軸として対称で前記折り部側には立ち上がり折り部を有する一対の立体表示部をスリットで区画形成し、これら立体表示部の互いの重ね合わせ面とは反対面側には立体表示情報を表示する一方、前記重ね合わせ面側における少なくとも前記立体表示部の外側には接着後に剥離可能な弱接着部を設け、前記重ね合わせ面側における前記立体表示部の前記折り部とは反対側の部分に強接着部を設け、三つ折り状態で表出している二紙片の重ね合わせ面側における前記立体表示部にそれぞれ対応する部分には表出情報を表示した表出情報表示部を設けたことを特徴とする立体表示カード。
【発明の詳細な説明】
【０００１】
【発明の属する技術分野】
本発明は、それぞれ二つの折り部を介して上紙片、中紙片、下紙片の三紙片が連接されてなる第１基材と第２基材とを前記各上、中、下の各紙片同士が対応するように重ね合わせて、少なくとも前記各基材の四周縁を除いた部分は剥離可能に接着し、前記各折り部で一方の基材の上紙片と他方の基材の下紙片が表出するようにジグザグ状に三つ折りして折り重ねた各重ね合わせ面を見開き可能に接着し、見開き状態にすると各基材の表出していない二紙片の四周縁を除いた部分の所定部が立体的に起立する立体表示カードに関する。
【０００２】
【従来の技術】
従来においては、開封すると立体化紙片を取り出すことができる封書（特開平９−７１０６８号公報）や開封した後に立体化可能な封書（特開平１１−１０５４６６号公報）は知られているが、これら従来例では、二紙片を直角に開いて、立体化紙片とするものであり、また、封書として使用するものである。
【０００３】
【発明が解決しようとする課題】
このため、従来においては、立体化紙片の形状が特定化されて変化に乏しいとともに、葉書などの各種カードには適用できないという不都合がある。本発明は、このような従来の不都合を解消した立体表示カードを提供することを目的とする。
【０００４】
【課題を解決するための手段】
この目的を達成するために、本発明の請求項１に係る立体表示カードは、それぞれ二つの折り部を介して上紙片、中紙片、下紙片の三紙片が連接されてなる第１基材と第２基材とを前記各上、中、下の各紙片同士が対応するように重ね合わせて、少なくとも前記各基材の四周縁を除いた部分は剥離可能に接着し、前記各折り部で一方の基材の上紙片と他方の基材の下紙片が表出するようにジグザグ状に三つ折りして折り重ねた各重ね合わせ面を見開き可能に接着してなり、見開き状態にすると各基材の表出していない二紙片の四周縁を除いた部分の所定部が立体的に起立する立体表示カードであって、前記各基材の表出していない二紙片のそれぞれには、この二紙片の境の折り部を対称軸として対称で前記折り部側には立ち上がり折り部を有する一対の立体表示部をスリットで区画形成し、これら立体表示部の互いの重ね合わせ面とは反対面側には立体表示情報を表示する一方、前記重ね合わせ面側における少なくとも前記立体表示部の外側には接着後に剥離可能な弱接着部を設け、前記重ね合わせ面側における前記立体表示部の前記折り部とは反対側の部分に強接着部を設け、三つ折り状態で表出している二紙片の重ね合わせ面側における前記立体表示部にそれぞれ対応する部分には表出情報を表示した表出情報表示部を設けたものである。
【０００５】
【発明の実施の形態】
以下、本発明を立体表示葉書に適用した場合の好適な実施の形態を添付図面に基づいて詳細に説明する。ここにおいて、図１は立体表示葉書用シートの平面図、図２はそのＡ−Ａ線断面図、図３は第１基材の第２基材との重ね合わせ面側を示す平面図、図４は第２基材の第１基材との重ね合わせ面側を示す平面図、図５は第２基材の表出面側を示す平面図、図６は立体表示葉書の斜視図、図７はそのＢ−Ｂ線断面図、図８はその一方の重ね合わせ面の見開き状態を示す斜視図、図９はその両方の重ね合わせ面の見開き状態を示す側面図である。
【０００６】
まず、立体表示葉書を作成するための立体表示葉書用シートについて説明する。図１及び図２に示すように、立体表示葉書用シート１は、それぞれ二つの折り用ミシン目４，５，６，７を介して上紙片８，１１、中紙片９，１２、下紙片１０，１３が連接されてなるほぼ同一大の第１基材２と第２基材３とを、前記各上紙片８，１１同士、前記各中紙片９，１２同士、前記各下紙片１０，１３同士が対応するように重ね合わせて、四周縁は接着後に剥離困難な接着力の強い感圧性接着剤である強接着剤３４で剥離困難に、四周縁を除いた部分は接着後に剥離可能な接着力の弱い感圧性接着剤である弱接着剤１４で剥離可能に、それぞれ接着してなる。
【０００７】
図１及び図３に示すように、第１基材２の上紙片８と中紙片９には、折り用ミシン目４を対称軸として対称で前記折り用ミシン目４側には立ち上がり折り部たるハーフスリット状の折り線１７ａ，１７ｂを有する一対の立体表示部１６ａ，１６ｂをスリット１５ａ，１５ｂで区画形成している。立ち上がり折り部は、前記各折り線１７ａ，１７ｂのように何らかの加工を施して形成するほか、前記立体表示部１６ａ，１６ｂが立ち上がる際の折り部となる限り、何らの加工を施さなくてもよいものである。また、前記立体表示部１６ａ，１６ｂの第２基材３との重ね合わせ面側には、文字、図柄などからなる立体表示情報１８ａ，１８ｂを表示している。
【０００８】
図１及び図２に示すように、第１基材２の上紙片８と中紙片９の表出面側における各立体表示部１６ａ，１６ｂの折り用ミシン目４とは反対側の部分には、所定範囲に及んで接着後に剥離困難な接着力の感圧性接着剤を塗布してなる強接着部１９ａ，１９ｂを設け、前記各紙片８，９の残りの部分と下紙片１０には弱接着剤１４と同様の感圧性接着剤を塗布してなる接着後に剥離可能な弱接着部２０を設けている。
【０００９】
また、図１に示すように、第１基材２の下紙片１０における表出面側には、説明文２１と差出人表示２２を設けている。そして、図３に示すように、前記下紙片１０の第２基材３の下紙片１３との重ね合わせ面側には、前記下紙片１３の後述する立体表示部２６ｂに対応位置する表出情報表示部２３を設け、この表出情報表示部２３に、文字、図柄などからなる表出情報２４を表示している。
【００１０】
図４及び図５に示すように、第２基材３の中紙片１２と下紙片１３には、折り用ミシン目７を対称軸として対称で前記折り用ミシン目７側には立ち上がり折り部たるハーフスリット状の折り線２７ａ，２７ｂを有する一対の対称的な立体表示部２６ａ，２６ｂをスリット２５ａ，２５ｂで区画形成している。立ち上がり折り部は、前記折り線２７ａ，２７ｂのように何らかの加工を施して形成するほか、前記立体表示部２６ａ，２６ｂが立ち上がる際の折り部となる限り、何らの加工を施さなくてもよいのである。図４に示すように、これら立体表示部２６ａ，２６ｂの第１基材２との重ね合わせ面側には、文字、図柄などからなる立体表示情報２８ａ，２８ｂを表示している。
【００１１】
図２及び図５に示すように、第２基材３の中紙片１２と下紙片１３の表出面側における各立体表示部２６ａ，２６ｂの折り用ミシン目７とは反対側の部分には、所定範囲に及んで接着後に剥離困難な接着力の感圧性接着剤を塗布してなる強接着部２９ａ，２９ｂを設け、前記各紙片１２，１３の残りの部分と上紙片１１には弱接着剤１４と同様の感圧性接着剤を塗布してなる接着後に剥離可能な弱接着部３０を設けている。
【００１２】
また、図５に示すように、第２基材３の上紙片１１における表出面側には、あて先表示３１を設けている。そして、図４に示すように、前記上紙片１１の第１基材２の上紙片８との重ね合わせ面側には、前記上紙片１１の立体表示部１６ａに対応位置する表出情報表示部３２を設け、この表出情報表示部３２に、文字、図柄などからなる表出情報３３を表示している。
【００１３】
本実施形態の立体表示葉書用シート１は、以上のように構成したので、各折り用ミシン目４，６で第１基材２の上紙片８と中紙片９の表出面側を重ね合わせるように折り、次いで各折り用ミシン目５，７で第２基材３の中紙片１２と下紙片１３の表出面側を重ね合わせるように折ると、各強接着部１９ａ，１９ｂ、２９ａ，２９ｂは剥離困難に、各弱接着部２０，３０は剥離可能に接着した、図６及び図７に示す立体表示葉書３５となる。そして、この立体表示葉書３５は、通常の葉書と同様に使用可能である。
【００１４】
この立体表示葉書３５を受領した者は、図６状態にある、あて先表示３１が表出している第２基材３の上紙片１１を第１基材２の上紙片８とともに、この上紙片８が接着している第１基材３の中紙片９から捲り上げると、弱接着部２０に対応する重ね合わせ面は剥離されるが、強接着部１９ａ，１９ｂに対応する重ね合わせ面は剥離されずに、接着状態を維持する。
【００１５】
したがって、図８に示すように、スリット１５ａ，１５ｂの外側部分は剥離されて、第１基材２の上紙片８と中紙片９とは見開き状態になる一方、一対の立体表示部１６ａ，１６ｂは強接着部１９ａ，１９ｂによって接着されて離反しないので、立体的に立ち上がることになる。これによって、各立体表示部１６ａ，１６ｂの第２基材３との重ね合わせ面側に設けた立体表示情報１８ａ，１８ｂが表出し、また、前記立体表示部１６ａが立ち上がったことによって、第２基材３の上紙片１１に設けた表出情報表示部３２に表示した表出情報３３が表出して視認可能になる。さらに、前記立体表示部１６ｂが立ち上がったことによって、第２基材３の中紙片１２に設けた立体表示部２６ａに表示した立体表示情報２８ａが表出して視認可能な状態になる。
【００１６】
続いて、説明文２１と差出人表示２２が表出している第１基材２の下紙片１０を第２基材３の下紙片１３とともに、この下紙片１３が接着している第２基材３の中紙片１２から捲り上げると、弱接着部３０に対応する重ね合わせ面は剥離されるが、強接着部２９ａ，２９ｂに対応する重ね合わせ面は剥離されずに、接着状態を維持する。
【００１７】
したがって、スリット２５ａ，２５ｂの外側部分は剥離されて、第２基材３の下紙片１３と中紙片１２とは見開き状態になる一方、一対の立体表示部２６ａ，２６ｂは強接着部２９ａ，２９ｂによって接着されて離反しないので、立体的に立ち上がることになる（図９参照）。これによって、各立体表示部２６ａ，２６ｂの第１基材２との重ね合わせ面側に設けた立体表示情報２８ａ，２８ｂが表出し、また、前記立体表示部２６ｂが立ち上がったことによって、第１基材２の下紙片１０に設けた表出情報表示部２３に表示した表出情報２４が表出して視認可能になる。さらに、前記立体表示部２６ａが立ち上がったことによって、第１基材２の中紙片９と第２基材３の中紙片１２とには、各立体表示部１６ｂ，２６ａに対応した透孔（図示せず）が形成される。
【００１８】
また、各表出情報表示部２３，３２に表出情報をあらかじめ表示せず、追ってこの表出情報を手書き記入する場合には、各弱接着部２０，３０に替えて強接着剤で接着した透明な樹脂フィルムを使用し、これらの樹脂フィルムにも対応するスリット１５ａ，１５ｂ，２５ａ，２５ｂが及ぶようにして、各一対の立体表示部１６ａ，１６ｂ，２６ａ，２６ｂを形成するとよい。そして、三つ折りした際に、これら樹脂フィルムの重ね合わせ面を剥離可能に密圧着することで、弱接着部を構成する。一方、各立体表示部１６ａ，１６ｂ，２６ａ，２６ｂの強接着部は、前記樹脂フィルムに、上述の強接着部１９ａ，１９ｂ，２９ａ，２９ｂを構成する感圧性接着剤と同一の感圧性接着剤からなる強接着剤を塗布して形成するとよい。
【００１９】
このように構成すると、各立体表示部１６ａ，１６ｂ，２６ａ，２６ｂを起立状態とし、各表出情報表示部２３，３２を表出してここに表出情報を記入する際に、樹脂フィルムが各表出情報表示部２３，３２の周囲に対応して存在し、第１の実施形態における弱接着部２０，３０のような接着剤層は露出していないので、手に接着剤が付着するようなことがなく、容易に記入することができる。
【００２０】
なお、本発明は、上述の各実施形態に限定されるものではなく、例えば、立体表示葉書３５を見開く際に指を掛ける指掛け部を形成するための三角形状の切り欠き部を、第１基材２の上紙片８及び第２基材３の上紙片１１における一隅部、及び第１基材２の下紙片１０及び第２基材３の下紙片１３における一隅部に設けてもよい。また、立体表示部１６ａ，１６ｂ，２６ａ，２６ｂの形状は、立体表示情報１８ａ，１８ｂ，２８ａ，２８ｂに関連した形状にするなど、図示のものに限定されない。さらに、本発明に係る立体表示カードは、葉書以外の各種カードに適用できることはもちろんである。
【００２１】
【発明の効果】
以上のように、本発明の請求項１に係る立体表示カードによれば、三つ折りして構成したカードの重ね合わせ面を見開き状態にすると、立体的にその一部が起立し、この起立部分の形状を任意のものにできるとともに、この起立部分には各種情報が表示されているので、カード受領者の興味をそそって、情報の伝達効果が向上するほか、他人には知られたくない情報も伝達できるという効果を奏するものである。
【図面の簡単な説明】
【図１】立体表示葉書用シートの平面図。
【図２】
図１のＡ−Ａ線断面図。
【図３】
第１基材の第２基材との重ね合わせ面側を示す平面図。
【図４】
第２基材の第１基材との重ね合わせ面側を示す平面図。
【図５】
第２基材の表出面側を示す平面図。
【図６】
立体表示葉書の斜視図。
【図７】
図６のＢ−Ｂ線断面図。
【図８】
立体表示葉書の一方の重ね合わせ面の見開き状態を示す斜視図。
【図９】
立体表示葉書の両方の重ね合わせ面の見開き状態を示す側面図。
【符号の説明】
１　　　立体表示葉書用シート
２　　　第１基材
３　　　第２基材
４，５，６，７　　　折り用ミシン目
８，１１　　　上紙片
９，１２　　　中紙片
１０，１３　　　下紙片
１４　　　弱接着剤
１５ａ，１５ｂ，２５ａ，２５ｂ　　　スリット
１６ａ，１６ｂ，２６ａ，２６ｂ　　　立体表示部
１８ａ，１８ｂ，２８ａ，２８ｂ　　　立体表示情報
１９ａ，１９ｂ，２９ａ，２９ｂ　　　強接着部
２０，３０　　　弱接着部
２３，３２　　　表出情報表示部
２４，３３　　　表出情報
３４　　　強接着剤
３５　　　立体表示葉書
【図１】
2004034351.tif 000003
【図２】
2004034351.tif 000004
【図３】
2004034351.tif 000005
【図４】
2004034351.tif 000006
【図５】
2004034351.tif 000007
【図６】
2004034351.tif 000008
【図７】
2004034351.tif 000009
【図８】
2004034351.tif 000010
【図９】
2004034351.tif 000011